(57)【特許請求の範囲】
【請求項１】
空気とともに吸い込んだ埃や塵等の吸引物を、集塵部にセットした紙パックに導いて捕集する電気掃除機において、
未使用の紙パックを折り畳んだ状態で収容する紙パック収容部と、
紙パック収容部に収容した紙パックを、風圧によって紙パック収容部から取り出して、前記集塵部に供給する紙パック供給手段とを備え、
前記紙パック収容部、前記紙パック供給手段、及び前記集塵部が、掃除機内部に形成された空気吸引経路に沿って一列に並べられていることを特徴とする電気掃除機。
【請求項２】
前記風圧が、前記吸引物を吸引するための空気吸引装置によって発生されることを特徴とする請求項１記載の電気掃除機。
【請求項３】
前記紙パック収容部が、前記未使用の紙パックを複数枚収容可能に構成されたことを特徴とする請求項１または２記載の電気掃除機。
【発明の詳細な説明】
【０００１】
【発明の属する技術分野】
本発明は、交換可能な紙パックによりゴミを回収する電気掃除機に関する。
【０００２】
【従来の技術及び発明が解決しようとする課題】
電気掃除機には、ノズルやホースなどの先端開口部から空気吸引装置としてのブロアーに至る吸引経路上に紙パックを配置し、空気とともに吸い込んだ埃や塵等の吸引物（ゴミ）を紙パック内に蓄積するものがある。このような電気掃除機では、ゴミが紙パック内に蓄積されてくると、吸引力の低下を招くことから、ユーザに紙パックの取り替えを促すようになっている。
ところで、上記のような紙パックは、一般的に一端開口部を有する袋体により構成されており、掃除機本体の集塵部に設けられ、上記先端開口部に通じる孔部に上記一端開口部を接続するように、当該パックに設けられた取付板を集塵部の取付箇所に正しくセットする必要があった。このため、従来の電気掃除機では、紙パックの装着作業に時間及び手間を要することがあった。さらに、上記集塵部は、紙パックからこぼれ落ちた埃や塵、ダニなどの害虫やその死骸、細菌などで汚染されていることがあり、上記装着作業がはなはだ不衛生な面もあった。
【０００３】
上記のような従来の問題点に鑑み、本発明は、紙パックの装着作業を簡単、かつ衛生的に行うことができる電気掃除機を提供することを目的とする。
【０００４】
【課題を解決するための手段】
本発明の電気掃除機は、空気とともに吸い込んだ埃や塵等の吸引物を、集塵部にセットした紙パックに導いて捕集する電気掃除機において、
未使用の紙パックを折り畳んだ状態で収容する紙パック収容部と、
紙パック収容部に収容した紙パックを、風圧によって紙パック収容部から取り出して、前記集塵部に供給する紙パック供給手段とを備え、前記紙パック収容部、前記紙パック供給手段、及び前記集塵部が、掃除機内部に形成された空気吸引経路に沿って一列に並べられていることを特徴としている（請求項１）。
【０００５】
上記のように構成された電気掃除機では、紙パック収容部、紙パック供給手段、及び集塵部が掃除機内部に形成された空気吸引経路に沿って一列に並べられているので、当該紙パック供給手段が風圧を利用して、未使用の紙パックを紙パック収容部から取り出すとともに、集塵部に供給することができる。これにより、掃除機が大型化するのを防ぎつつ、未使用の紙パックを自動的に集塵部に装着することができる。
【０００６】
また、上記電気掃除機（請求項１）において、前記風圧が、前記吸引物を吸引するための空気吸引装置によって発生されることが好ましい（請求項２）。この場合、上記風圧を発生させる専用の手段を設ける必要がない。
【０００７】
また、上記電気掃除機（請求項１または２）において、前記紙パック収容部が、前記未使用の紙パックを複数枚収容可能に構成されることが好ましい（請求項３）。この場合、未使用の紙パックの保管場所を確保する必要がなく、さらには保管中の紙パックの紛失や破損などを防ぐことができる。
【０００８】
【発明の実施の形態】
以下、本発明の電気掃除機の好ましい実施形態について、図面を参照しながら説明する。
図３は、本発明の電気掃除機の全体構造を示す斜視図である。図において、掃除機本体１には、持ち手１ａ１が形成された上蓋部１ａが取付・取外し可能に設けられている。この上蓋部１ａには、パワーコントロールスイッチ２ａが設けられた操作ハンドル２が折り畳み可能に取り付けられている。また、図の下側に開口した吸い込み口（図示せず）を有する吸引ヘッド３が、上記掃除機本体１の下端部に設けられた円筒状の連結部１ｂに着脱可能に取り付けられている。この吸引ヘッド３には、車輪３ａ、３ｂが取り付けられており、ユーザの操作ハンドル２の操作に応じて、当該掃除機が移動できるようになっている。また、上記連結部１ｂには、一端が掃除機本体１側に取り付けられた可撓性のホース４の他端が着脱可能に取り付けられており、上記吸い込み口から連結部１ｂ及びホース４内を通り、掃除機本体１の内部に至る空気吸引経路が形成されている。尚、掃除機本体１の内部に形成された空気吸引経路上の所定部には、空気とともに吸い込んだ埃や塵等の吸引物を捕集する紙パックがセットされる集塵部が設けられており、当該本体１に取付・取外し可能に設けられた蓋１ｃを取外した状態で上記集塵部にセットされた使用済みの紙パックを廃棄できるようになっている。
【０００９】
また、掃除機本体１の内部には、図４（ａ）及び（ｂ）に示すように、収納室５と、空気を吸引するファン６ａ及びこれを駆動するファンモータ６ｂを備え、上記吸引物を吸引するための空気吸引装置６と、上記収納室５の空気吸引装置６側の壁面を構成するとともに、当該装置６の前方（吸引側）に本体内部の上記空気吸引経路の終端部である終端空間Ａを規定する仕切板７とが設けられている。この仕切板７には、その中央部分に円形状の貫通孔７ａが設けられている。また、上記終端空間Ａでは、フィルター部材８が掃除機本体１に対して着脱可能に装着されており、吸引物が空気吸引装置６内に侵入するのを防止している。
【００１０】
上記収納室５は、図１（ａ）及び（ｂ）に示す紙パック供給ユニット９を収納するためのものであり、上記上蓋部１ａにより開閉されるとともに、同ユニット９が図４（ａ）の両矢印Ｓにて示す方向に出し入れされる出入口５ａと、上記蓋１ｃにより開閉される開口５ｂとが設けられている。この収納室５の床面５ｃには、上記ホース４の一端が接続された連結孔５ｃ１と、掃除機本体１の内部に形成された連結空間Ｂ（図４（ｂ）参照）を介して上記終端空間Ａに連通される多数（例えば、１６個）の小孔５ｃ２とが設けられている。また、この収納室５の左右の側面５ｄ、５ｅには、本体内部に形成された連結空間Ｃ、Ｄを介して上記終端空間Ａに連通される多数の小孔５ｄ１、５ｅ１が設けられている。
尚、掃除機本体１の内部には、空気吸引装置６が吸い込んだ空気を排出するための空気排出経路としての排気空間Ｅ、Ｆが形成されており、これら排気空間Ｅ、Ｆは当該本体１の左右側部に設けられた複数の排気口１ｄ、１ｅに連結されている。
【００１１】
上記紙パック供給ユニット９は、図１（ａ）及び（ｂ）を参照して、上記収納室５の内部をスライド移動可能に構成された箱状の移動基体１０と、開口部１１ａを有する直方体状に構成されるとともに、その内部が吸引物を捕集可能な状態の紙パック３０（図１（ｂ）に一点鎖線にて図示）がセットされる上記集塵部１１ｊとして用いられる手提げ容器１１とを備えている。この紙パック供給ユニット９は、図１（ｂ）に二点鎖線にて示す未使用の紙パック３０を折り畳んだ状態で複数枚重ね合わせて収容する紙パック収容部９ａと、その折り畳んだ状態の紙パック３０を、上記空気吸引装置６の吸引力（風圧）によって紙パック収容部９ａから１枚ずつ取り出して、上記集塵部１１ｊに供給する紙パック供給手段９ｂとを一体的に構成したものである。また、紙パック供給ユニット９は、図の右端部が上記仕切板７に接触するように、収納室５の開口部５ａからその内部に挿入されるものであり、収納室５内に収納されたときに上記開口５ｂから手提げ容器１１のみを移動基体１０に対して着脱することができるようになっている。
【００１２】
上記紙パック３０は、図２（ａ）〜（ｃ）も参照して、吸引物を捕集するための変形可能な袋体３０ａと、この袋体３０ａの底部側及び一端開口部側にそれぞれ固定された前面板３０ｂ及び後面板３０ｃとを備えている。
上記前面板３０ｂの一端部には、例えば両端部が尖った円柱状のガイドピン３０ｂ１が当該前面板３０ｂの左右から突出するように取り付けられている。また、後面板３０ｃは、袋体３０ａの一端開口部に連通し、袋体内部に吸引物を導く集塵孔３０ｃ１を有するものであり、袋体３０ａが固定された中空状の固定板３０ｄとこの固定板３０ｄに対し移動可能に構成された可動板３０ｅとを備えている。
【００１３】
上記固定板３０ｄ及び可動板３０ｅには、上記集塵孔３０ｃ１を構成する貫通孔３０ｄ１及び３０ｅ１が設けられている。これらの貫通孔３０ｄ１及び３０ｅ１は、集塵孔３０ｃ１を構成したときに当該集塵孔３０ｃ１が袋体３０ａの外部に向かって拡がるテーパ状となるように、互いに連続するテーパ状に構成されている。そして、吸引物を回収した紙パック３０が排出される場合などにおいて、図２（ｃ）に示すように、可動板３０ｅが図の下方に動かされることにより、固定板３０ｄの貫通孔３０ｄ１が可動板３０ｅで閉塞され、集塵孔３０ｃ１を閉塞した状態とすることができ、袋体３０ａの内部から吸引物が外部にこぼれ出るのを防止することができる。また、上記可動板３０ｅの一端部には、例えば両端部が尖った円柱状のガイドピン３０ｅ２が当該可動板３０ｅの左右から突出するように取り付けられている。
【００１４】
図１（ａ）及び（ｂ）において、上記移動基体１０は、底板１０ａとこれに垂直に設けられた左右の側板１０ｂ、１０ｃとを備えたものであり、これらの底板１０ａ及び左右の側板１０ｂ、１０ｃが上記収納室５の床面５ｃ及び左右の側面５ｄ、５ｅにそれぞれ接した状態で掃除機本体１の内部の収納室５に収納される。
上記底板１０ａには、例えば楕円状の連結孔１０ａ１及び複数の小孔１０ａ２が設けられており、移動基体１０が収納室５に収納されたときに収納室５側に設けられた上記連結孔５ｃ１及び複数の小孔５ｃ２にそれぞれ連通するようになっている。
【００１５】
上記左右の各側板１０ｂ、１０ｃは、肉薄部１０ｄと肉厚部１０ｅとを有する板状のものであり、左右の肉薄部１０ｄ及び底板１０ａにより囲まれる空間に、上記手提げ容器１１が着脱可能に挿入されている。また、肉薄部１０ｄには、移動基体１０が収納室５に収納されたときに上記側面５ｄ、５ｅに設けられた複数の各小孔５ｄ１、５ｅ１に連通する小孔１０ｄ１が設けられている。
上記左右の各肉厚部１０ｅには、図１（ｂ）に示すように、折り畳んだ状態の紙パック３０の上記ガイドピン３０ｂ１、３０ｅ２の両端部がそれぞれ挿入される第１及び第２挿入溝１０ｆ、１０ｇと、これらの第１及び第２挿入溝１０ｆ、１０ｇにそれぞれ連続し、その紙パック３０を手提げ容器１１の開口部１０ａに案内するための第１及び第２ガイド溝１０ｈ、１０ｉとが設けられている。また、上記肉厚部１０ｅの間には、底板１０ａの連結孔１０ａ１の上方で上記前面板３０ｂの他端部に当接し、折り畳んだ状態の紙パック３０を受け止める受板１０ｋが設けられている。この受板１０ｋは、各肉厚部１０ｅに固定された固定板１０ｊによって底板１０ａから浮揚させた状態で支持されているとともに、図の左側にスライド可能に構成されたものであり、第１及び第２挿入溝１０ｆ、１０ｇとともに、上記紙パック収容部９ａを肉厚部１０ｅの間に構成している。
【００１６】
また、第１及び第２挿入溝１０ｆ、１０ｇの高さ寸法は、紙パック収容部９ａが折り畳んだ状態の未使用の紙パック３０を複数枚、例えば５枚上下に重ねて収容できる値に設定されている。
また、紙パック収容部９ａの上方には、図１（ｂ）に示すように、バネ１０ｍ１を備えた蓋部材１０ｍが設けられており、上記未使用の紙パック３０を図の下方に付勢している。
【００１７】
また、上記受板１０ｋには、第２挿入溝１０ｇに挿入されたガイドピン３０ｅ２の両端部に当接し、当該両端部が第２挿入溝１０ｇから第２ガイド溝１０ｉに移動（落下）するのを阻止するストッパー部材１０ｋ１が設けられている。また、この受板１０ｋには、移動基体１０から突出する幅小の突出部１０ｋ２が設けられており、この突出部１０ｋ２にはユーザの操作に応じて受板１０ｋを図の左右方向に移動させるためのソレノイド等を含んだ移動手段（図示せず）に接続されている。
【００１８】
上記手提げ容器１１は、紙パック３０の入出口としての上記開口部１１ａと、上記蓋１ｃの内面に対向する天板１１ｂと、移動基体１０の左右の肉薄部１０ｄ及び底板１０ａにそれぞれ接触した左右の側板１１ｃ、１１ｄ及び床板１１ｅと、上記仕切板７に当接する当接板１１ｆとを備えている。
上記天板１１ｂには、多数の小孔１１ｂ１が設けられており、紙パック供給ユニット９が上記収納室５に収納されたときに蓋１ｃとの間で形成される空間を介して集塵部（手提げ容器１１の内部）１１ｊと上記終端空間Ａとが連通するようになっている。この天板１１ｂには、蓋１ｃを掃除機本体１から取外した状態で上記開口５ｂを通して当該容器１１を移動基体１０から着脱するときに握る把手１１ｂ２が取り付けられている。
また、天板１１ｂの開口部１１ａ側の内面には、上記紙パック３０の後面板３０ｃの上縁部が係合する係合部材１１ｈが設けられており、後面板３０ｃにより開口部１１ａが密閉されるようになっている。
【００１９】
上記左右の側板１１ｃ、１１ｄには、左右の肉薄部１０ｄの各小孔１０ｄ１に連通した小孔１１ｃ１、１１ｄ１が設けられており、紙パック供給ユニット９が収納室５に収納されたときに、集塵部１１ｊと終端空間Ａとが上記側面５ｄ、５ｅの小孔５ｄ１、５ｅ１及び連結空間Ｃ、Ｄを介して連通するようになっている。
また、上記床板１１ｅには、上記底板１０ａの各小孔１０ａ２に連通した小孔１１ｅ１が設けられており、紙パック供給ユニット９が収納室５に収納されたときに、集塵部１１ｊと終端空間Ａとが上記床面５ｃの小孔５ｃ２及び連結空間Ｂを介して連通するようになっている。
【００２０】
また、上記当接板１１ｆには、その中央部分に仕切板７の貫通孔７ａに連通する円形状の連結孔１１ｆ１が設けられており、紙パック供給ユニット９が収納室５に収納されたときに、集塵部１１ｊと終端空間Ａとが連通するようになっている。この連結孔１１ｆ１の開口寸法は、図１（ｂ）に示すように、紙パック３０がセットされたときにその前面板３０ｂにより閉塞される値に設定されている。
【００２１】
また、左右の側板１１ｃ、１１ｄの各板厚は、手提げ容器１１が移動基体１０に装着されたときに側板１１ｃ、１１ｄの各内面と肉厚部１１ｅの内面とが一致するよう肉厚部１０ｅと肉薄部１０ｄとの板厚差に等しい寸法に設定されている。
また、各側板１１ｃ、１１ｄには、第１及び第２ガイド溝１０ｈ、１０ｉとともに、上記紙パック供給手段９ｂを構成する第３及び第４ガイド溝１１ｇ、１１ｉが設けられている。これらの第３及び第４ガイド溝１１ｇ、１１ｉは、紙パック３０を集塵部１１ｊにセットするためのものであり、第１及び第２ガイド溝１０ｈ、１０ｉにそれぞれ連続している。
【００２２】
詳細には、第３ガイド溝１１ｇは、上記紙パック３０の前面板３０ｂを徐々に起立させて当該前面板３０ｂが当接板１１ｆの連結孔１１ｆ１を閉塞するよう当該前面板３０ｂを案内する。
また、第４ガイド溝１１ｉは、その図の左右方向（開口部１１ａから当接板１１ｆに向かう方向）の寸法が上記後面板３０ｃの板厚とほぼ等しい寸法に設定されており、その後面板３０ｃのガイドピン３０ｅ２が第４ガイド溝１１ｉに当接することで後面板３０ｃを時計方向周りに回転させ、後面板３０ｃの上縁部を上記係合部材１１ｈに係合させる。これにより、図１（ｂ）に示すように、開口部１１ａが後面板３０ｃにより密閉され、紙パック３０が集塵部１１ｊにセットされる。
【００２３】
上記のように構成された電気掃除機１での紙パック３０の装着作業について、図１〜図６を参照して具体的に説明する。尚、この装着作業は、手提げ容器１１の内部にセットされた使用済みの紙パック３０を、ユーザが蓋１ｃを取り外した状態で手提げ容器１１とともに掃除機本体１から取り出し、その紙パック３０のみを手提げ容器１１の開口部１１ａから放出した後、手提げ容器１１及び蓋１ｃをそれぞれ移動基体１０及び掃除機本体１に取付けた状態で行われる。
図５（ａ）において、前面板３０ｂの図の左端部が受板１０ｋに当接している一番下の紙パック３０は、そのガイドピン３０ｅ２の両端部がストッパー部材１０ｋ２に当接しており、第２挿入溝１０ｇ内に挿入された状態が維持されている。このため、ユーザがパワーコントロールスイッチ２ａにより空気吸引装置６を駆動し、その装置６の吸引力によって図の矢印Ｗにて示すように、連結孔１０ａ１から手提げ容器１１側に流れる空気が発生したときでも、その発生した空気により紙パック３０が当該容器１１側に移動されるのを阻止することができる。
【００２４】
続いて、図５（ｂ）に示すように、ユーザが突出部１０ｋ１に接続された上記移動手段を駆動して受板１０ｋを図の左側にスライドさせると、一番下の紙パック３０において、その前面板３０ｂの図の左端部がガイドピン３０ｂ１を中心に反時計方向に回転し、その左端部が受板１０ｋよりも下方に移動する。また、この受板１０ｋのスライド動作により、ガイドピン３０ｅ２の両端部はストッパー部材１０ｋ２との当接状態が解除され、第２挿入溝１０ｇから第２ガイド溝１０ｉ内に移動し、当該紙パック３０を上記紙パック収容部９ａから取り出し可能な状態となる。
【００２５】
その後、ユーザがパワーコントロールスイッチ２ａを操作し空気吸引装置６を駆動すると、取り出し可能な状態の紙パック３０は上記空気の流れにより手提げ容器１１側に吸引され、紙パック収容部９ａから取り出される。そして、この紙パック３０は、空気の流れにより、ガイドピン３０ｂ１及び３０ｅ２の各両端部が挿入された第１及び第２ガイド溝１０ｈ及び１０ｉに案内され、さらに第３及び第４ガイド溝１１ｇ及び１１ｉに案内されて、集塵部１１ｊへの移動が行われる。また、空気吸引装置６が駆動されてから所定時間が経過すると、上記移動手段により受板１０ｋが図の右側に自動的にスライドされ、図５（ａ）に示したように紙パック３０の移動を阻止する。
【００２６】
そして、図６（ａ）に示すように、上記後面板３０ｃのガイドピン３０ｅ２が第４ガイド溝１１ｉの終端まで案内されると、その後面板３０ｃの上縁部はガイドピン３０ｅ２を回転中心として時計方向に回転し、当該上縁部が係合部材１１ｈに係合し後面板３０ｃにより開口部１１ａを密閉する。その後、図６（ｂ）に示すように、開口部１１ａが後面板３０ｃにより閉塞された状態で、前面板３０ｂが連結孔１１ｆ１を閉塞するように案内されると、紙パック３０の装着作業が終了する。さらに、この開口部１１ａ及び連結孔１１ｆ１が後面板３０ｃ及び前面板３０ｂによりそれぞれ閉塞された状態で空気吸引装置６が駆動すると、紙パック３０の袋体３０ａには手提げ容器１１の天板１１ｂ、側板１１ｃ、１１ｄ及び底板１１ｅに設けられた小孔１１ｂ１、１１ｃ１、１１ｄ１、１１ｅ１から当該袋体３０ａを膨らますように吸引力が作用し、同図に示すように吸引物を捕集可能な状態に紙パック３０の状態を集塵部１１ｊ内で変化させる。
【００２７】
以上のように、本実施形態の電気掃除機では、紙パック供給ユニット９において、紙パック収容部９ａに折り畳んだ状態で収容されている未使用の紙パック３０が、空気吸引装置６の吸引力（風圧）により、第１〜第４ガイド溝１０ｈ、１０ｉ、１１ｇ、１１ｉ（紙パック供給手段９ｂ）に案内されて上記紙パック収容部９ａから集塵部１１ｊに移動され、かつその集塵部１１ｊにセットされる。従って、上記従来例と異なり、ユーザの手を煩わせることなく、未使用の紙パック３０を自動的に装着することができ、よって紙パック３０の装着作業を簡単、かつ衛生的に行うことができる。
【００２８】
また、本実施形態では、紙パック供給手段９ｂが空気吸引装置６の風圧によって紙パック収容部９ａから紙パック３０を取り出して、上記集塵部に供給しているので、風圧を発生させる専用の手段を設ける必要がなく、電気掃除機を小型化することができる。
また、本実施形態では、紙パック収容部９ａが未使用の紙パック３０を複数枚収容できるので、未使用の紙パック３０の保管場所を確保する必要がなく、さらには保管中の紙パック３０の紛失や破損などを防ぐことができる。
【００２９】
尚、上記の説明では、紙パック収容部９ａと紙パック供給手段９ｂとを一体的に構成した紙パック供給ユニット９を用いた構成について説明したが、本発明はこれに限定されるものではなく、紙パック収容部９ａと紙パック供給手段９ｂとを別個に設けてもよい。
また、上記の説明では、手提げ容器１１の内部を上記集塵部１１ｊとして用いた構成について説明したが、本発明はこれに限定されるものではなく、収納室５の内部を集塵部１１ｊとして用いることもできる。
また、上記の説明では、ソレノイド等を含んだ移動手段によって受板１０ｋを自動的にスライドさせる構成について説明したが、本発明はこれに限定されるものではなく、紙パック３０の装着作業時にユーザが上記突出部１０ｋ２を掴んで受板１０ｋを適宜スライドさせる構成でもよく、このように構成した場合は上記移動手段を割愛することができる。
【００３０】
【発明の効果】
以上のように構成された本発明は以下の効果を奏する。
請求項１の電気掃除機によれば、掃除機が大型化するのを防ぎつつ、未使用の紙パックを自動的に集塵部に装着することができるので、ユーザの手を煩わせることなく紙パックの装着作業を完了することができる。従って、紙パックの装着作業を簡単、かつ衛生的に行うことができるコンパクトな電気掃除機を提供することができる。
【００３１】
請求項２の電気掃除機によれば、上記風圧を発生させる専用の手段を設ける必要がないので、当該掃除機をコンパクト化することができる。
【００３２】
請求項３の電気掃除機によれば、紙パック収容部が未使用の紙パックを複数枚収容可能に構成されているので、未使用の紙パックの保管場所を確保する必要がなく、さらには保管中の紙パックの紛失や破損などを防ぐことができる。
【図面の簡単な説明】
【図１】本発明の一実施形態に係る電気掃除機の紙パック供給ユニットを示す構造図であり、（ａ）及び（ｂ）はそれぞれ平面図及び（ａ）のＩｂ−Ｉｂ線断面図である。
【図２】上記紙パック供給ユニットに用いられる紙パックを示す構造図であり、（ａ）は吸引物を捕集可能な状態の同パックを示す側面図であり、（ｂ）及び（ｃ）はそれぞれ同パックの前面板及び後面板を示す平面図である。
【図３】本発明の電気掃除機の全体構造を示す斜視図である。
【図４】図３に示した掃除機本体の要部構成を示す構造図であり、（ａ）は上記紙パック供給ユニットを取り外した状態での平面図であり、（ｂ）は（ａ）のＩＶｂ−ＩＶｂ線断面図である。
【図５】上記紙パック供給ユニットにおける紙パックの自動装着動作を示す概略図であり、（ａ）は受板がスライドされる前における紙パック収容部内の紙パックの状態を示し、（ｂ）は受板がスライドされた後における同パックの状態を示す図である。
【図６】上記紙パック供給ユニットにおける紙パックの自動装着動作を示す概略図であり、（ａ）は紙パックが手提げ容器内にほぼ移動させられた後における同パックの状態を示し、（ｂ）は手提げ容器内に装着されたときの同パックの状態を示す図である。
【符号の説明】
６      空気吸引装置
９      紙パック供給ユニット
９ａ    紙パック収容部
９ｂ    紙パック供給手段
１０    移動基体
１０ｆ  第１挿入溝
１０ｇ  第２挿入溝
１０ｈ  第１ガイド溝
１０ｉ  第２ガイド溝
１０ｋ  受板
１１    手提げ容器
１１ｇ  第３ガイド溝
１１ｉ  第４ガイド溝
１１ｊ  集塵部
３０    紙パック
【図１】
0003756801.tif 000002
【図２】
0003756801.tif 000003
【図３】
0003756801.tif 000004
【図４】
0003756801.tif 000005
【図５】
0003756801.tif 000006
【図６】
0003756801.tif 000007